【事件の表示】
　平成１０年特許願第３５６１１７号「遊技機器情報システム」拒絶査定不服審判事件〔平成１２年６月２７日出願公開、特開２０００−１７６１３４〕について、次のとおり審決する。
【結　論】
　本件審判の請求は、成り立たない。
【理　由】
１．手続の経緯
　本願は、平成１０年１２月１５日の出願であって、平成１１年９月２１日付けの拒絶理由通知に対し平成１１年１１月２９日付けで手続補正がなされ、平成１２年６月２６日付けで拒絶査定がなされ、これに対し平成１２年７月３１日に拒絶査定に対する審判請求がなされるとともに平成１２年８月３０日付けで手続補正がなされたものである。
　　　　　　
２．平成１２年８月３０日付けの補正（以下、「本件補正」という。）についての補正却下の決定
補正却下の決定の結論：平成１２年８月３０日付けの手続補正を却下する。
〔理由〕
（１）本件補正の内容
　本件補正により、特許請求の範囲の請求項１は、次のように補正された。
　「電子メールによる電子情報が送受信できるネットワークを介して所定の情報を表示できる携帯端末器及び／又はデスクトップ型情報機器を備えた情報受信表示手段と、
　所定地域のパーラー店内に配置されている遊戯機器の制御及び管理を行うことができるホールコンピュータと会員の登録管理を行うことができる会員登録管理用コンピュータとからなるパーラー制御手段と、
　該ホールコンピュータと接続できるようにすると共に前記ネットワークに接続できるようにして前記ホールコンピュータからの遊戯機器情報を集配信することができる遊戯機器情報集配信手段とからなり、
　前記情報受信表示手段は、特定の電子メールコードと該電子メールコードにリンクすることができる特定地域のパーラー店とを前記遊戯機器情報集配信手段に登録できるようにし、
　前記遊戯機器情報集配信手段は、前記ホールコンピュータから遊戯機器情報のうち逐次変化する少なくとも次のデータ、遊戯機器に打ち込んだ玉数からなる打込数、遊戯機器に補給された玉数である補給数、打止めになった回数である打止回数、特賞になった回数である特賞回数、を得る毎に、前記パーラー店とリンクした電子メールコードを読出し、
　該電子メールコードに基づいて前記遊戯機器情報を電子メールで前記登録されている前記情報受信表示手段側に配信するようにしたこと
　を特徴とする遊戯機器情報システム。」
　　　
　前記補正は、請求項１に記載した発明を特定するために必要な事項として、「遊戯機器の制御及び管理を行うことができるホールコンピュータと会員の登録管理を行うことができる会員登録管理用コンピュータとからなるパーラー制御手段」と、「ホールコンピュータと接続できるようにすると共にネットワークに接続できるようにして前記ホールコンピュータからの遊戯機器情報を集配信することができる遊戯機器情報集配信手段」と、「特定の電子メールコードと該電子メールコードにリンクすることができる特定地域のパーラー店とを前記遊戯機器情報集配信手段に登録できる情報受信表示手段」をそれぞれ付加することによって、発明の構成を限定明確化するものであって、特許法第１７条の２第４項第２号の特許請求の範囲の減縮を目的とするものに該当する。
　そこで、本件補正後の前記請求項１に記載された発明（以下、「本願補正発明」という。）が特許出願の際独立して特許を受けることができるものであるか（平成１５年改正前特許法第１７条の２第５項において準用する同法第１２６条第４項の規定に適合するか）について以下に検討する。
　　　　　
（２）引用例
　i．原査定の拒絶の理由に引用された、本願出願前に日本国内において頒布された刊行物である特開平９−１０８４３２号公報（以下、「引用例」という）には、以下の事項が記載されている。
　「【請求項１】　遊技場側から利用者に対して各種情報を提供する遊技場情報提供システムであって、遊技場側に配置され、記憶装置に予め記憶されたデータ、遊技機等から随時入力されるデータ、又は入力装置を介して適宜入力されるデータ等に基づいて構成される所定の情報を、通信路を介して利用者側へと送信可能な情報管理手段と、利用者側に配置され、前記情報管理手段から送信された情報を受信可能で、該受信した情報を出力する情報出力手段とを備えたことを特徴とする遊技場情報提供システム。
【請求項２】　請求項１記載の遊技場情報提供システムにおいて、利用者側に配置され、所定の要求信号を通信路を介して前記情報管理手段へと送信可能で、該要求信号により前記情報管理手段に対して各種情報の送信を要求する情報要求手段を備え、前記情報管理手段が、前記情報要求手段から送信された要求信号を受信した時に、該要求信号に応じた所定の情報を利用者側へと送信することを特徴とする遊技場情報提供システム。
【請求項３】　請求項２記載の遊技場情報提供システムにおいて、前記情報管理手段が、遊技機の稼動率や大当たり発生回数等といった遊技機の稼動に伴って変動する数値データを入力して統計的に管理すると共に、前記情報要求手段からの要求信号によって指定された数値データに関する情報を、前記情報出力手段に対して送信することを特徴とする遊技場情報提供システム。」、
　「【請求項６】　請求項１〜請求項５のいずれかに記載の遊技場情報提供システムにおいて、前記情報管理手段が、送信すべき情報、送信先、及び送信日時を記憶可能で、該記憶された送信日時になると、前記情報出力手段に対して自動的に前記情報を送信することを特徴とする遊技場情報提供システム。」、
　「【０００２】【従来の技術】従来、パチンコ店では、各種イベントや新台入替等といった情報を店舗の内外に掲示している。また、店内では、パチンコ機毎に出玉状況等の情報を掲示することにより、利用客がパチンコ機を選ぶ際に、大当たりの可能性が高そうなパチンコ機を一目で判断できるようにしている。また、多種多様な景品を展示して、より多くの利用客が楽しく景品を選べる様にしている。
【０００３】【発明が解決しようとする課題】しかしながら、従来技術によれば、各種イベント、新台入替、又は出玉状況等の掲示、あるいは景品の展示などは、いずれも利用客がパチンコ店まで出向いて初めて見ることのできるものであり、利用客が来店しない限り、この種の情報を入手することはできなかった。
【０００４】そこで、本発明は、利用客がパチンコ店まで出向かなくても、遊技場に関する各種情報を入手できる遊技場情報提供システムを提供することを目的とする。」、
　「【００１９】この様に構成された遊技場情報提供システムによれば、従来は、遊技場まで出向かなければ入手できなかった各種情報を、情報出力手段がある場所で受け取ることができる。したがって、例えば、情報出力手段として、電話機、ファクシミリ装置、パーソナルコンピュータ等を使うことにより、自宅でも遊技場からの有用情報が得られる。また、情報出力手段として、携帯電話、携帯情報端末装置等を使うことにより、任意の場所で遊技場からの有用情報が得られる。」、
　「【００２０】ところで、上記遊技場情報提供システムにより、利用者側へ情報を提供するタイミングは種々設定可能であり、例えば毎日あるいは毎週定時に提供したり、遊技場側の判断で随時提供したりできるが、情報提供を受けるタイミングを利用者側で指定できると、利用者にとっては便利である。」、
　「【００２８】情報管理手段側では、数値データが統計的に管理されており、例えば、昨日の出玉状況、午前中の出玉状況等、必要な期間分の出玉状況が、指定されたパチンコ機について即座に集計される。そして、集計された数値データに基づいて音声情報が作成され、情報出力手段側へ送信される。この音声情報は、大当たり発生回数や打止発生回数を具体的な数字で示すものでもよいが、事前に取り決められた数値範囲に対応させて「絶好調」、「やや好調」、「やや不調」等、抽象的な表現で出玉状況を知らせてもよい。なお、情報出力手段がファクシミリ装置であれば、数値データをグラフ化して提供することもできる。
【００２９】また、遊技機の稼動に伴って変動する数値データとしては、遊技機の稼動率、遊技球の排出数／投入数の比率等も提供できる。但し、これらは、通常、一般の利用者には提供できないため、主に遊技場のオーナー等、限られた利用者にのみ提供できる様に、非公開の特定の要求信号を受け付けた時にだけ送信することが望ましい。」、
　「【００４２】次に、請求項６記載の遊技場情報提供システムでは、情報管理手段が、送信すべき情報、送信先、及び送信日時を記憶しており、この記憶された送信日時になると、情報出力手段に対して自動的に情報を送信する。この様に送信される情報としては、新機種の紹介、イベントの紹介、プレゼントサービスの紹介などがある。より具体的には、利用者の誕生日、クリスマス、バレンタインデーなどといった特定の日時と、その特定日時に送るべき情報と、情報の送り先とを、情報管理手段に登録しておく。情報管理手段は、毎日定刻になると登録データをチェックし、その日に送信すべき情報があれば、自動的に送信を行う。」、
　「【００４３】この様に、請求項６記載の遊技場情報提供システムによれば、従来は店内に掲示する程度であった各種情報を、自動的に利用者に通知できるので、利用者は、来店する機会がなくてもこれらの情報を入手できる。」、
　「【００４５】実施例の遊技場情報提供システムは、図１に示す通り、遊技場側に配置された情報管理装置１と、利用者側に配置された電話機２、ファクシミリ装置３、又は携帯電話機４と、これらを接続する通信路となる公衆回線網５とで構成され、更に、情報管理装置１には、遊技場内に設置された多数のパチンコ機６が接続されている。
【００４６】情報管理装置１は、周知のコンピュータ１１を中心に、表示装置１２、キー入力装置１３、印刷装置１４、画像入力装置１５、音声入力装置１６、補助記憶装置１７、及び通信装置１８を配して構成され、これらの周辺機器がコンピュータ１１によって制御されている。」、
　「【００４８】また、通信装置１８は、情報管理装置１側からの音声又はファクシミリ画像を利用者側へ送信すると共に、利用者側から送信されてきた音声又はファクシミリ画像を受信するものである。更に、コンピュータ１１は、パチンコ機６の稼動状態について、各パチンコ機６毎に、稼動中か否か、打止発生、大当たり発生等を常に監視し、打止発生回数、大当たり発生回数、アウト球数、セーフ球数、賞球排出数等を計数している。また、計数された数値データに基づいて、セーフ球数／アウト球数の比率、大当たり発生回数／アウト球数の比率等も算出される。これらの数値データは、常にコンピュータのメモリ上で統計的に管理され、随時、表示装置１２で見たり、印刷装置１４に印刷出力したりすることができる。」、
　「【００４９】また更に、補助記憶装置１７には、既に説明した画像データ、音声データ、パチンコ機６の稼動データの他に、本システムの利用者が登録されている利用者リスト、後述する景品交換機能で利用される景品リスト、後述する自動情報提供機能で利用される自動送信リスト等が記憶されている。
【００５０】利用者リストは、事前に会員として登録された利用者の名前、住所、電話番号、生年月日、性別、会員番号、暗唱番号、利用者側端末の種別（電話機又はファクシミリ装置）といった固定情報の他、前回までの遊技で獲得して遊技場に預けてある賞球の数（獲得賞球数）、本システムの利用回数等といった可変情報、更に、遊技場のオーナーや従業員等、特別な立場にある利用者であることを示すＩＤ等からなる。」、
　「【００５２】更に、自動送信リストは、「データファイル名」、「送信先」、「送信日時」のリストで、送信先は、利用者の名前や会員番号で指定できる他、全員、電話機端末の利用者のみ、女性のみ、特定の誕生日の利用者のみといった指定が可能である。送信先で指定されている利用者には、データファイル名で指定されている音声情報又は画像情報が、送信日時で指定されている日時に自動的に送信される。」、
　「【００５４】（１）利用者側から情報管理装置側にコールして利用するサービス　まず、図２に示す様に、利用者は、電話機２から情報管理装置１をコールし、情報管理装置１と電話機２との接続を行う（Ｓ１１０）。そして、情報管理装置１と電話機２とが接続されたら、情報管理装置１は、会員番号及び暗唱番号の入力を促す音声メッセージを送信し、これを受けて、利用者は電話機２のプッシュボタンを使って会員番号及び暗唱番号を入力する（Ｓ１２０）。」、
　「【００５７】次に、情報管理装置１は、情報提供機能のメニューを紹介する音声メッセージを送信し、これを受けて、利用者は電話機２のプッシュボタンを使って、利用する情報提供サービスの項目を選択する（Ｓ１４０）。本実施例では、主な情報提供機能として、出玉情報提供機能（「１」＋「＃」をプッシュ）、パチンコ機予約機能（「２」＋「＃」をプッシュ）、景品交換機能（「３」＋「＃」をプッシュ）が選択でき、また、補助的な機能として、本システムの利用方法などの案内も選択できる（「０」＋「＃」をプッシュ）。」、
　「【００７７】（２）情報管理装置側から利用者側にコールするサービス　（２−１）自動情報提供機能　情報管理装置１は、毎日、予め決められた時刻になると、自動情報提供処理を実行する様にタイマがセットされている。この時刻は、遊技場側で任意に設定される。
【００７８】自動情報提供処理が実行されると、図６に示す様に、まず、情報管理装置１は、補助記憶装置１７から自動送信リストを読み出し（Ｓ５１０）、本日、自動送信を行うべき情報が登録されているかどうかをチェックする（Ｓ５２０）。登録されている場合には（Ｓ５２０：ＹＥＳ）、データファイル名で指定されている音声データを読み出して、送信先で指定されている利用者に送信する（Ｓ５３０）。
【００７９】この様にして、新機種の紹介、イベントの紹介、プレゼントサービスの紹介などを、適当な日時に、あるいは、利用者の誕生日、クリスマス、バレンタインデーなどといった特定の日時に、音声メッセージで利用者に伝えることができる。以上、本発明の一実施例について説明したが、本発明の具体的な構成については、上記実施例以外にも、本発明の要旨を逸脱しない範囲内の種々なる態様を採用することができる。」。
　ii．引用例における前記摘示の記載及び図１乃至６によれば、引用例には、以下の発明（以下、「引用発明」という。）が記載されているものと認められる。
　「情報が送受信できる公衆回線網５を介して所定の情報を表示できる電話機２、携帯電話機４、携帯情報端末装置又はパーソナルコンピュータを備えた情報出力手段と、
　特定の遊技場内に配置されている遊技機の制御及び管理と会員の登録管理を行うと共に、前記公衆回線網５に接続できるようにして遊技機情報を送信することができるコンピュータ１１からなる情報管理装置１とからなり、
　前記情報出力手段は、事前に当該遊技場の会員として登録された利用者の電話番号及び会員番号やＩＤ等を情報管理装置１に登録できるようにし、
　前記情報管理装置１は、前記情報出力手段からの情報要求信号に応じ、遊技機の稼動に伴って変動する数値データとして少なくとも次のデータ、アウト球数、セーフ球数、打止発生回数、大当たり発生回数に関する情報を公衆回線網５を介して前記登録されている前記情報出力手段側に送信したり、あるいは、毎日予め決められた時刻になると自動送信を行うべき情報と送信先の利用者とが予め登録されている自動送信リストを読出し、新機種やイベントの紹介等の自動送信を行うべき情報を前記公衆回線網５を介して音声又はファクシミリ画像により前記登録されている利用者の前記情報出力手段側に送信するようにした
遊技場情報提供システム。」
　　　　
（３）対比
　本願補正発明と引用発明とを対比すると、引用発明における、「公衆回線網５」、「携帯情報端末装置又はパーソナルコンピュータ」、「情報出力手段」、「遊技場」、「遊技機」、「情報管理装置１」、「送信」、「アウト球数」、「セーフ球数」、「打止発生回数」、「大当たり発生回数」及び「遊技場情報提供システム」は、それぞれ、本願補正発明における、「ネットワーク」、「携帯端末器及び／又はデスクトップ型情報機器」、「情報受信表示手段」、「パーラー店」、「遊戯機器」、「パーラー制御手段」、「配信」、「遊戯機器に打ち込んだ玉数からなる打込数」、「遊戯機器に補給された玉数である補給数」、「打止めになった回数である打止回数」、「特賞になった回数である特賞回数」及び「遊戯機器情報システム」に相当する。
　また、引用発明における「利用者の電話番号及び会員番号やＩＤ等」は、本願補正発明における「電子メールコード」と対比して、パーラー店とリンクする情報受信表示手段を特定する機能を有する「固有コード」として共通する。
　そして、引用発明における「コンピュータ１１」は、本願補正発明における「遊戯機器の制御及び管理を行うことができるホールコンピュータと会員の登録管理を行うことができる会員登録管理用コンピュータ」と対比して、遊技機の制御及び管理と会員の登録管理を行う機能を有する「コンピュータ」として共通する。
　さらに、引用発明における「情報管理装置１」は、本願補正発明における「遊戯機器情報集配信手段」と対比して、ネットワークを介して所定の情報を表示できる情報受信表示手段と接続して遊戯機器情報を集配信する機能を有する「情報集配信手段」として共通する。
　そうすると、本願補正発明と引用発明の両者は、以下の点でそれぞれ、一致ならびに相違するものと認められる。
　一致点「電子情報が送受信できるネットワークを介して所定の情報を表示できる携帯端末器及び／又はデスクトップ型情報機器を備えた情報受信表示手段と、
　パーラー店内に配置されている遊戯機器の制御及び管理と会員の登録管理を行うことができるコンピュータとからなるパーラー制御手段と、
　該コンピュータと接続できるようにすると共に前記ネットワークに接続できるようにして前記コンピュータからの遊戯機器情報を集配信することができる情報集配信手段とからなり、
　前記情報受信表示手段は、前記情報受信表示手段を特定する固有コードと該固有コードにリンクすることができる特定のパーラー店とを前記情報集配信手段に登録できるようにし、
　前記情報集配信手段は、前記コンピュータから遊戯機器情報のうち逐次変化する少なくとも次のデータ、遊戯機器に打ち込んだ玉数からなる打込数、遊戯機器に補給された玉数である補給数、打止めになった回数である打止回数、特賞になった回数である特賞回数、を得て、前記パーラー店とリンクした固有コードを詠出し、該固有コードに基づいて前記遊戯機器情報を前記情報受信表示手段側に配信するようにした
　遊戯機器情報システム。」
　相違点Ａ．情報伝達媒体として、本願補正発明は、電子メールを用いる構成であるのに対して、引用発明が、かかる構成を備えていない点。
　相違点Ｂ．パーラー制御手段として、本願補正発明は、遊戯機器の制御及び管理を行うホールコンピュータと、会員の登録管理を行う会員登録管理用コンピュータとを備えているのに対して、引用発明は、遊戯機器の制御及び管理と、会員の登録管理とを一つのコンピュータで行っている点。
　相違点Ｃ．遊戯機器の制御及び管理を行うコンピュータをネットワークに接続できるようにして前記コンピュータからの遊戯機器情報を集配信する手段として、本願補正発明は、特定の電子メールコードと該電子メールコードにリンクすることができる特定地域のパーラー店とを登録できるようにした遊戯機器情報集配信手段を備えているのに対して、引用発明は、利用者の電話番号及び会員番号やＩＤ等を特定のパーラー店に配置されているパーラー制御手段に登録できるようにしている点。
　相違点Ｄ．登録されている情報受信表示手段側に遊戯機器情報を配信するのに、本願補正発明は、逐次変化する前記遊戯機器情報を得る毎に、情報受信表示手段側に配信するのに対して、引用発明は、情報受信表示手段からの情報要求信号に応じて逐次変化する前記遊戯機器情報を配信したり、あるいは、毎日予め決められた時刻になると自動送信を行うべき情報を前記情報受信表示手段側に配信する点。
　　
（４）判断
　i．相違点Ａについて
　コンピュータネットワークにおける情報伝達媒体として電子メールを用いることは周知技術にすぎないから、引用発明において、情報伝達媒体として電子メールを採用して、前記相違点Ａにかかる本願補正発明の構成のようにすることは、当業者が容易に想到できるものである。
　ii．相違点Ｂについて
　遊戯機器の制御及び管理と、会員の登録管理とをそれぞれ専用のコンピュータで行うか、兼用させるかは、必要に応じて適宜採用し得る単なる設計事項にすぎないから、前記相違点Ｂに係る本願補正発明の構成のようにすることは、当業者が容易に想到できるものである。
　iii．相違点Ｃについて
　遊戯機器の技術分野において、センターコンピュータあるいは該センターコンピュータの管理下にある中継装置に不特定多数のパーラー店をネットワーク通信網で接続して、会員と特定のパーラー店との関係を登録すると共に、会員及び遊戯機器に係る遊戯関連情報を集配信することができるようにすることは、周知技術（例えば、特開平８−１６４２６２号公報、特開平９−２２０３３７号公報、特開平１０−１９２５２４号公報参照。以下「周知技術Ｃ」という。）である。
　そうすると、引用発明に示される、特定のパーラー店のみを対象に遊戯機器情報を会員に送信するようにした遊戯機器情報システムについて、該システムを拡張するために前記周知技術Ｃを適用して、特定地域のパーラー店と会員との関係を登録して、遊戯機器情報を配信できるようにした遊戯機器情報集配信手段を設けることは、当業者が容易になしうることであり、その際に特定地域のパーラー店と会員とを特定の電子メールコードにより登録することは、前記相違点Ａにおいて検討した、コンピュータネットワークにおける情報伝達媒体として電子メールを用いる前記周知技術を採用することによる付随事項にすぎない。
　iv．相違点Ｄについて
　引用発明は、従来は遊技場まで出向かなければ入手できなかった出玉状況や新機種等に関する各種情報を、情報出力手段がある場所で受け取ることができることを目的としており、利用者側へ前記各種情報を提供するタイミングについて、引用例に「利用者側へ情報を提供するタイミングは種々設定可能であり、例えば毎日あるいは毎週定時に提供したり、遊技場側の判断で随時提供したりできるが、情報提供を受けるタイミングを利用者側で指定できると、利用者にとっては便利である。」（段落【００２０】）と記載されているように、遊技場側の判断で随時提供できることを背景に、利用者の利便性を考慮して、利用者からの情報要求信号に応じて出玉状況等の逐次変化する遊戯機器情報を提供する方式を具体例とするものであるから、特に利用者からの情報要求信号に応じることなく出玉状況等の逐次変化する前記遊戯機器情報を得る毎に、該情報を利用者側の情報受信表示手段に配信する方式について、これを排除するものではなく、その可用性を示唆するものである。
　そして、引用発明は、特に利用者からの情報要求信号に応じることなく毎日予め決められた時刻になると新機種に関する情報等を自動送信を行うべき情報として情報受信表示手段側に配信する方式についても開示するから、前記自動送信を行うべき情報として、出玉状況等の逐次変化する遊戯機器情報を含め、該遊戯機器情報を得る毎に利用者側の情報受信表示手段に配信する方式とすることは、引用発明に係る前記目的に基づいて当業者が容易に想起する事項というべきである。
　また、最新情報を得る毎にネットワークを介して電子メールにより予め登録しておいた特定の利用者に配信する情報提供システムは、特定の技術分野に限定されない周知技術（例えば、特開平１０−２５４４６３号公報、特開平１０−１７７６００号公報、「日経マルチメディア　第３４号　発行者日経ＢＰ社　発行日１９９８年４月１５日　第５０〜５５頁　“急成長するコンテンツ会社　地域密着・顧客選別で成功”　」参照。以下「周知技術Ｄ」という。）である。
　そうすると、引用発明に示される、逐次変化する遊戯機器情報を配信する遊戯機器情報システムについて、特に会員からの情報要求信号に応じることなく、前記遊戯機器情報を得る毎に会員として登録されている情報受信表示手段側に配信するように設計変更すること、あるいは前記周知技術Ｄを採用することで、前記相違点Ｄに係る本願補正発明の構成のようにすることは、当業者が容易に想到できるものである。
　v．作用効果について
　本願補正発明における作用効果は、引用発明及び前記周知技術に基づいて当業者が容易に予測できるものと認められる。
　vi．まとめ
　よって、本願補正発明は、引用発明及び前記周知技術に基づいて、当業者が容易に発明をすることができたものであるから、特許法第２９条第２項の規定により特許出願の際独立して特許を受けることができないものである。
　　　
（５）むすび
　以上のとおり、本件補正は、平成１５年改正前特許法第１７条の２第５項において準用する同法第１２６条第４項の規定に違反するものであり、同法第１５９条第１項で準用する同法第５３条第１項の規定により却下されるべきものである。
　　　
３．本願発明について
　平成１２年８月３０日付けの手続補正は、前記のとおり却下されたので、本願の請求項１に係る発明（以下、同項記載の発明を「本願発明」という。）は、平成１１年１１月２９日付けの手続補正書の特許請求の範囲の請求項１に記載された事項により特定される、以下のとおりのものである。
「パーラ店と会員登録すると共にネットワークを介して電子メールの情報を表示することができる携帯端末機及び／又はデスクトップ型情報機器と、
　前記パーラ店に設置されている遊技機器の情報を前記会員登録してある個々の会員のそれぞれにネットワークを介して配信することができる遊技機器情報集配信手段とからなり、
　該遊技機器情報集配信手段は、前記遊技機器の情報のうち、逐次変化する少なくとも次のデータ、遊技機器に打ち込んだ玉数からなる打込数、遊戯機器に補給された玉数である補給数、打止めになった回数である打止回数、特賞になった回数である特賞回数を、前記会員登録されている個々の携帯端末機及び／又はデスクトップ型情報機器に各遊技機器の情報が変化する毎に前記電子メールを利用して逐次配信するようにしたこと
　を特徴とする遊技機器情報システム。」
　　　
（１）引用例
　原査定の拒絶の理由に引用された引用例及びその記載事項は、前記「２．（２）」に記載したとおりである。
　　　
（２）対比・判断
　本願発明は、前記２．で検討した本願補正発明から「パーラー制御手段」の限定事項である「遊戯機器の制御及び管理を行うことができるホールコンピュータと会員の登録管理を行うことができる会員登録管理用コンピュータとからなる」という構成、「遊戯機器情報集配信手段」の限定事項である「ホールコンピュータと接続できるようにすると共にネットワークに接続できるようにして前記ホールコンピュータからの遊戯機器情報を集配信することができる」という構成、及び「情報受信表示手段」の限定事項である「特定の電子メールコードと該電子メールコードにリンクすることができる特定地域のパーラー店とを前記遊戯機器情報集配信手段に登録できる」という構成を省いたものである。
　そうすると、本願発明の構成要件を全て含み、さらに他の構成要件を付加したものに相当する本願補正発明が、前記「２．（４）」に記載したとおり、引用発明及び前記周知技術に基づいて、当業者が容易に発明をすることができたものであるから、本願発明も、同様の理由により、引用発明及び前記周知技術に基づいて、当業者が容易に発明をすることができたものである。
　　　
（３）むすび
　以上のとおり、本願発明は、引用例に記載された発明（引用発明）及び前記周知技術に基づいて、当業者が容易に発明をすることができたものであるから、特許法第２９条第２項の規定により特許を受けることができないものであり、本願は拒絶すべきものである。
　よって、結論のとおり審決する。